(57)【要約】【課題】コンパクト化及び軽量化を図ることができると共に長期間にわたって安定した開閉動作を行うことができる、蝶番を有する眼鏡枠を提供する。【解決手段】レンズ保持部２と、テンプル３と、これらを回動可能とする蝶番５を有する眼鏡枠である。前記蝶番５は、前記レンズ保持部２の末端部２１と、前記テンプル３の末端部３１と、両末端部を連結する連結部４を有する。前記テンプル３の完全開放時と折り畳み時の２点において選択的に前記テンプル３の末端部３１と前記連結部４が位置決めされる。【選択図】図３
2019184777.tif 000002
【特許請求の範囲】
【請求項１】
レンズ保持部（２）と、テンプル（３）と、これらを回動可能とする蝶番５を有する眼鏡枠（１）であって、
前記蝶番（５）は、前記レンズ保持部（２）の末端部（２１）と、前記テンプル（３）の末端部（３１）と、両末端部を連結する連結部（４）を有し、
前記テンプル（３）の完全開放時と折り畳み時の２点において選択的に前記テンプル（３）の末端部（３１）と前記連結部（４）が位置決めされる手段を有することを特徴とする眼鏡枠。
【請求項２】
前記テンプル（３）の末端部（３１）がポリアミド樹脂、前記連結部（４）がウレタン樹脂により構成される請求項１記載の眼鏡枠。
【請求項３】
前記前記テンプル（３）の完全開放時と折り畳み時の２点において選択的に前記テンプル（３）の末端部（３１）と前記連結部（４）が位置決めされる手段が、
前記テンプルの末端部（３１）の上下部材（３２，３３）それぞれの先端に設けられた半球状の小突起（３５，３６）と、前記連結部４の２つの窪み（４３，４４）の組み合わせ
である請求項１又は２に記載の眼鏡枠。
【請求項４】
前記前記テンプル（３Ａ）の完全開放時と折り畳み時の２点において選択的に前記テンプル（３Ａ）の末端部（３１Ａ）と前記連結部（４Ａ）が位置決めされる手段が、
前記テンプルの末端部（３１Ａ）の上下部材（３２Ａ，３３Ａ）それぞれの先端に設けられた窪み（３５Ａ，３６Ａ）と、前記連結部（４Ａ）の２つの小突起（４３Ａ，４４Ａ）の組み合わせ
である請求項１又は２に記載の眼鏡枠。
【請求項５】
前記前記テンプル（３Ｂ）の完全開放時と折り畳み時の２点において選択的に前記テンプル（３Ｂ）の末端部（３１Ｂ）と前記連結部（４Ｂ）が位置決めされる手段が、
前記テンプルの末端部（３１）の上下部材（３２Ｂ，３３Ｂ）それぞれの先端に設けられた半球状の小突起（３５Ｂ，３６Ｂ）と、前記連結部４Ｂの２つの溝（４３Ｂ，４４Ｂ）の組み合わせ
である請求項１又は２に記載の眼鏡枠。
【請求項６】
前記前記テンプル（３Ｃ）の完全開放時と折り畳み時の２点において選択的に前記テンプル（３Ｃ）の末端部（３１Ｃ）と前記連結部（４Ｃ）が位置決めされる手段が、
前記テンプルの末端部（３１）の上下部材（３２Ｃ，３３Ｃ）それぞれの間に互いに向き合って半球状の小突起（３５Ｃ，３６Ｃ）と、前記連結部（４Ｃ）の２本の溝（４３Ｃ，４４Ｃ）の組み合わせ
である請求項１又は２に記載の眼鏡枠。
【発明の詳細な説明】
【技術分野】
【０００１】
本発明は、眼鏡枠に関し、特に安定した開閉動作を行うことができるとともにコンパクト化及び軽量化を図ることができる蝶番を備えた眼鏡枠に関する。
【背景技術】
【０００２】
眼鏡枠の蝶番は、レンズ保持部及びテンプルにそれぞれ設けられたコマを回動軸となるネジにより連結して、テンプルを開閉可能とする。この蝶番は、ネジの締め具合によりテンプルの回動動作を調整することができ、ネジを強く締めるとコマの間の摩擦力が高まってテンプルの回動が重くなり、ネジを緩めるとテンプルの回動が軽くなる。
【０００３】
しかし、テンプルを開閉する際にコマ同士が圧接して動くため、テンプルの回動が重くなるとスムーズな開閉動作を実現することが難しく、逆にテンプルの回動が軽くなるとテンプルが不用意に動きやすくなる。その結果、テンプルを開いて装着したときやテンプルを閉じて眼鏡を保管するとき等にテンプルを安定した状態に設定することが難しくなる。また、テンプルを回動させる開閉動作を繰り返していくと、テンプルの回動に対する摩擦抵抗が次第に小さくなり、ネジの締め具合の再調整が必要になる。
【０００４】
このような蝶番の問題に対して、例えば、特開昭５９―１８８６１９号公報（特許文献１）では、次のような眼鏡枠が記載されている。すなわち、２つの枠部分の一方にバネを設けるとともに他方の枠部分にカム部材を設け、回転部材を弾性付勢手段によりカム部材に押し付けるように設定する。これにより、一方の枠部分が開閉動作の際に所定の開閉位置に安定して設定することができる。
【０００５】
特許文献１では、バネを蝶番に組み込んでいるため、蝶番のサイズが大きくなり、眼鏡枠の軽量化やコンパクト化が難しくなっていた。そして、眼鏡枠のデザインを検討する上で、蝶番のサイズを考慮しなければならなくなり、デザインの自由度に制約を受けていた。
【０００６】
この問題に対して本出願人は、特開２０１８―２１９８８（特許文献２）において次のような眼鏡枠を提案した。すなわち、レンズ保持部に設けられた第１コマと、テンプルに設けられた第２コマと、前記第１コマ及び前記第２コマを回動自在に連結する第１ネジと、前記第２コマに設けられ、前記第１コマと接触可能な第２ネジを有する眼鏡枠である。前記第１コマ先端部はカムであって、前記眼鏡枠の完全開放時に前記第２ネジが落ち着く第１窪みと、前記眼鏡枠の完全閉鎖時に前記第２ネジが落ち着く第２窪みと、前記第１、第２窪みをつなぐ略直線部と、この略直線部に途中で方向転換させる角部を有する。
【先行技術文献】
【特許文献】
【０００７】
【特許文献１】特開昭５９―１８８６１９号公報
【特許文献２】特開２０１８―２１９８８
【発明の概要】
【発明が解決しようとする課題】
【０００８】
特許文献２の製品は好評であったが、金属の第２ネジが樹脂の第１コマを頻繁に接触・押圧するので、長期間の使用により擦り減り、徐々に開閉動作にキレがなくなっていくという欠点があった。
【０００９】
そこで、本発明は、コンパクト化及び軽量化を図ることができると共に長期間にわたって安定した開閉動作を行うことができる、蝶番を有する眼鏡枠を提供することを目的とする。
【課題を解決するための手段】
【００１０】
上記目的を達成する本発明の眼鏡枠は、レンズ保持部２と、テンプル３と、これらを回動可能とする蝶番５を有する眼鏡枠１であって、前記蝶番５は、前記レンズ保持部２の末端部２１と、前記テンプル３の末端部３１と、両末端部を連結する連結部４を有し、前記テンプル３の完全開放時と折り畳み時の２点において選択的に前記テンプル３の末端部３１と前記連結部４が位置決めされる手段を有することを特徴とする。
【００１１】
好ましくは、前記テンプル３及び前記連結部４は粘弾性があり、機械的強度や耐摩耗性の高いウレタン、ポリアミド、フッ素、ポリアセタール、ポリテトラフルオロエチレン（ＰＴＦＥ）などの樹脂で構成される。特に好ましいのは、テンプルの末端部３１をポリアミド（ナイロン）樹脂、連結部４をウレタン樹脂で構成することである。
【００１２】
前記前記テンプル３の完全開放時と折り畳み時の２点において選択的に前記テンプル３の末端部３１と前記連結部４が位置決めされる手段としては、次のようなものがある。
【００１３】
（ａ）前記テンプルの末端部３１の上下部材３２，３３それぞれの先端に設けられた半球状の小突起３５，３６と、前記連結部４の２つの窪み４３，４４の組み合わせ。
【００１４】
（ｂ）前記テンプルの末端部３１Ａの上下部材３２Ａ，３３Ａそれぞれの先端に設けられた窪み３５Ａ，３６Ａと、前記連結部４Ａの２つの小突起４３Ａ，４４Ａの組み合わせ。
【００１５】
（ｃ）前記テンプルの末端部３１の上下部材３２Ｂ，３３Ｂそれぞれの先端に設けられた半球状の小突起３５Ｂ，３６Ｂと、前記連結部４Ｂの２つの溝４３Ｂ，４４Ｂの組み合わせ。
【００１６】
（ｄ）前記テンプルの末端部３１の上下部材３２Ｃ，３３Ｃそれぞれの間に互いに向き合って半球状の小突起３５Ｃ，３６Ｃと、前記連結部４Ｃの２本の溝４３Ｃ，４４Ｃの組み合わせ。
【発明の効果】
【００１７】
本発明によれば、テンプル３の完全開放時と折り畳み時の２点において選択的にテンプル３の末端部３１と連結部４が位置決めされる手段が設けられている。テンプル３の末端部３１と連結部４は共に柔らかく粘りのある樹脂同士であるので、金属対樹脂という接触に比べて、長期間使用しても相互に摩耗が少ない。そのため、長期間にわたって安定した開閉動作を行うことができる。
【図面の簡単な説明】
【００１８】
【図１】本発明の実施例１に係る眼鏡枠における蝶番部分を内側から見た拡大斜視図である。
【図２】図１の蝶番部分を外側から見た拡大斜視図である。
【図３】図１の蝶番部分の横断面図であり、（ａ）はテンプルを開いた状態、（ｂ）は折り畳んだ状態である。
【図４】実施例1における連結部の、（ａ）左側面図、（ｂ）正面図、（ｃ）右側面図、（ｄ）平面図、（ｅ）底面図。（ｆ）前記ｂにおける矢視断面図である。
【図５】実施例1におけるレンズ保持部末端の、（ａ）平面図、（ｂ）側面図、（ｃ）前記ｂにおける矢視断面図である。
【図６】実施例1におけるテンプル末端部の、（ａ）平面図、（ｂ）側面図、（ｃ）前記ｂにおける矢視断面図である。
【図７】実施例２における連結部の、（ａ）左側面図、（ｂ）正面図、（ｃ）右側面図、（ｄ）平面図、（ｅ）底面図。（ｆ）前記ｂにおける矢視断面図である。
【図８】実施例２におけるテンプル末端部の、（ａ）平面図、（ｂ）側面図、（ｃ）前記ｂにおける矢視断面図である。
【図９】実施例３における連結部の、（ａ）左側面図、（ｂ）正面図、（ｃ）右側面図、（ｄ）平面図、（ｅ）底面図。（ｆ）前記ｂにおける矢視断面図である。
【図１０】実施例３におけるテンプル末端部の、（ａ）平面図、（ｂ）側面図、（ｃ）前記ｂにおける矢視断面図である。
【図１１】実施例４における介在部材の、（ａ）左側面図、（ｂ）正面図、（ｃ）右側面図、（ｄ）平面図、（ｅ）底面図。（ｆ）前記ｂにおける矢視断面図である。
【図１２】実施例４におけるテンプル末端部の、（ａ）平面図、（ｂ）側面図、（ｃ）前記ｂにおける矢視断面図である。
【発明を実施するための形態】
【００１９】
以下、添付の図面に基づいて、本発明の実施例を説明する。
【実施例１】
【００２０】
図１〜５は本発明の実施例１を示す。
【００２１】
図１〜３に示すように、本発明実施例の眼鏡枠１は、テンプル３を回動可能とする蝶番５を有する。蝶番５は、主として、レンズ保持部２の末端部２１と、テンプル３の末端部３１と、両末端部を連結する連結部４からなる。
【００２２】
レンズ保持部２の末端部２１とテンプルの末端部３１を連結する連結部４は、図４に示すような合成樹脂製ブロックである。輪郭形状として、図４（ｂ）にもっともよく示されているように、眼鏡の表面側に現れる直線部４０と、レンズ保持部の末端部２１とかみ合う陥没部４１と、テンプルの末端部３１とスライド接触する曲線部４２を有する。この曲線部４２には２個所に窪み（第１窪み４３と第２窪み４４）が設けられている。この窪みの両端は外側に向かってやや盛り上がって隆起部４３１，４４１を形成している。レンズ保持部の末端部２１と連結するための第１ネジ穴４５と、テンプルの末端部３１と連結するための第２ネジ穴４６を有する。
【００２３】
レンズ保持部の末端部２１は、側面から見ると、図５（ｂ）に示すように、上側部材２２と下側部材２３を有する。これらの上下部材２２，２３の間には、図３に示すように、連結部４がはめ込まれる。レンズ保持部の末端部２１には、この上下部材２２，２３を貫通する第３ネジ穴２４を有する。この第３ネジ穴２４は連結部４の第１ネジ穴４５と同位置であり、これらのネジ穴２４，４５を使用してレンズ保持部の末端部２１と連結部４とがネジ４７（図３）で連結される。
【００２４】
連結部４が位置する空間において、レンズ保持側の末端部２１の上下部材２２，２３の間には連結部の陥没部４１に嵌合する突起部２５が設けられている。これによっても、レンズ保持側の末端部２１と連結部４はしっかりと結合されている。
【００２５】
テンプルの末端部３１は、側面から見ると、図６（ｂ）に示すように、上側部材３２と下側部材３３を有する。これらの上下部材３２，３３の間には、図３に示すように、連結部４がはめ込まれる。テンプルの末端部３１は、上下部材３２，３３を貫通する第４ネジ穴３４を有する。この第４ネジ穴３４は連結部４の第２ネジ穴４６と同位置であり、これらのネジ穴３４，４６を使用してテンプルの末端部３１と連結部４がネジ４８（図３）で連結される。
【００２６】
連結部４が位置する空間において、テンプルの末端部３１の上下部材３２，３３それぞれの先端に半球状の小突起３５，３６が設けられている。この小突起３５，３６は、連結部４の前記２つの窪み４３，４４と選択的に嵌合可能である。
【００２７】
すなわち、図３に示すように、テンプル３を開いたときには第２窪み４４と嵌合して位置決めされ、テンプル３を閉じたときには第１窪み４３と嵌合して位置決めされる。２つの窪み４３，４４それぞれの両端には隆起部４３１，４４１があるので、小突起３５，３６はここでやや押し込まれ、その後、反動で窪み４３，４４に落ち込んで安定する。その時にカチッという音がする。その２個所以外のときには安定せず、自由にスライドする。したがって、この眼鏡のテンプル３は開いた状態と閉じた状態のときのみカチッという音がして安定するのである。
【００２８】
この構成において、テンプルの末端部３１の小突起３５，３６と連結部４の２つの窪み４３，４４が頻繁に接触し、たがいに押圧し合うことになる。そのため、それぞれの素材となる樹脂の選定やその組み合わせが重要である。前記テンプル３及び前記連結部４は、粘弾性があり、機械的強度や耐摩耗性の高いウレタン、ポリアミド、フッ素、ポリアセタール、ポリテトラフルオロエチレン（ＰＴＦＥ）などの樹脂で構成される。現在のところ、テンプルの末端部３１はポリアミド（ナイロン）、連結部４はウレタン樹脂で構成することが好ましいことが分かっている。
【実施例２】
【００２９】
図６と図７は本発明の実施例２である。実施例1との相違点は、実施例１の２つの窪み４３，４４を２つの半球状の小突起４３Ａ，４４Ａに置き換え、実施例１の小突起３５，３６を窪み３５Ａ，３６Ａに置き換えたことである。つまり、小突起と窪みの配置を逆転させたものであり、同じ効果があることは明らかである。
【００３０】
その他の構成は実施例１と同様なので、実施例１の符号の後に「Ａ」を加えて詳細な説明を省略する。
【実施例３】
【００３１】
図８と図９は本発明の実施例３である。実施例1との相違点は、実施例１の２つの窪み４３，４４を２本の溝４３Ｂ，４４Ｂに置き換えたことである。この２本の溝４３Ｂ，４４Ｂは、図１０（ｂ）に示すように、連結部の第２ねじ４６を原点とみればほぼ直角に位置する。この構成では、テンプルの小突起がこの２本の溝４３Ｂ，４４Ｂに選択的に嵌合する。
【００３２】
その他の構成は実施例１と同様なので、実施例１の符号の後に「Ｂ」を加えて詳細な説明を省略する。
【実施例４】
【００３３】
図１０と図１１は本発明の実施例４である。実施例1との相違点は、実施例１の２つの窪み４３，４４を２つの貫通孔４３Ｃ，４４Ｃに置き換え、実施例１の小突起３５，３６を半球状の小突起３５Ｃ，３６Ｃに置き換えたことである。ただし、貫通孔４３Ｃ，４４Ｃは、図１０（ｂ）に示すように、連結部４の第２ねじ４６を原点とみれば互いにほぼ直角に配置され、半球状の小突起３５Ｃ，３６Ｃは、図１１に示すように、テンプル上下部材３２Ｃ，３３Ｃのそれぞれに内向きに向かい合って位置する。
【００３４】
この構成では、テンプルの小突起３５Ｃ，３６Ｃがこの２本の貫通孔４３Ｃ，４４Ｃに選択的に嵌合する。
【００３５】
その他の構成は実施例１と同様なので、実施例１の符号の後に「Ｃ」を加えて詳細な説明を省略する。  
【符号の説明】
【００３６】
１    眼鏡枠
２     レンズ保持部
２１   末端部
２２   上側部材
２２，２３    上下部材
２４   第３ネジ穴
２５   突起部
３     テンプル
３１   末端部
３２，３３    上下部材
３２Ｃ，３３Ｃ       上下部材
３４   第４ネジ穴
３５，３６    小突起
３５Ｃ，３６Ｃ       小突起
４     連結部
４０   直線部
４１   陥没部
４２   曲線部
４３  第１窪み
４４   第２窪み
４３Ａ，４４Ａ       小突起
４３Ｂ，４４Ｂ       溝
４３Ｃ，４４Ｃ       貫通孔
４３１，４４１       隆起部
４５   第１ネジ穴
４６   第２ネジ穴
５     蝶番
【図１】
2019184777.tif 000003
【図２】
2019184777.tif 000004
【図３】
2019184777.tif 000005
【図４】
2019184777.tif 000006
【図５】
2019184777.tif 000007
【図６】
2019184777.tif 000008
【図７】
2019184777.tif 000009
【図８】
2019184777.tif 000010
【図９】
2019184777.tif 000011
【図１０】
2019184777.tif 000012
【図１１】
2019184777.tif 000013
【図１２】
2019184777.tif 000014